(57)【要約】【課題】特別番組などに関連して番組名に文字列が付加されるような場合にも、次回予約番組を検出することが可能な録画装置および録画装置の番組予約方法を提供する。【解決手段】この録画装置１００は、電子番組表中の所定の放送番組の番組名に基づいて、所定の放送番組の次の回として放送される放送番組を、次回予約番組として検出する制御を行う制御部２４を備える。そして、制御部２４は、電子番組表中の複数の放送番組の番組名から、同一文字列を取得する制御を行うとともに、取得した同一文字列を除外した状態で、次回予約番組を検出する制御を行うように構成されている。【選択図】図５
2015228608.tif 000002
【特許請求の範囲】
【請求項１】
電子番組表を含む放送波を受信する受信部と、
前記電子番組表中の所定の放送番組の番組名に基づいて、前記所定の放送番組の次の回として放送される放送番組を、次回予約番組として検出する制御を行う制御部と、を備え、
前記制御部は、前記電子番組表中の複数の放送番組の番組名から、同一文字列を取得するとともに、取得した前記同一文字列を除外した状態で、前記次回予約番組を検出する制御を行うように構成されている、録画装置。
【請求項２】
前記制御部は、前記電子番組表中の一の放送番組の番組名と、前記一の放送番組が放送される時間の前後の時間に連続して放送される他の放送番組の番組名とからなる前記電子番組表中の前記複数の放送番組の番組名から、前記同一文字列を取得する制御を行うように構成されている、請求項１に記載の録画装置。
【請求項３】
前記制御部は、前記次回予約番組の検索対象の放送番組の放送される時間と対応する時間帯に放送される前記一の放送番組の番組名と、前記一の放送番組が放送される時間の前後の時間に連続して放送される前記他の放送番組の番組名とからなる前記電子番組表中の前記複数の放送番組の番組名から、前記同一文字列を取得する制御を行うように構成されている、請求項２に記載の録画装置。
【請求項４】
前記制御部は、前記同一文字列を取得する際に、前記電子番組表に含まれる全ての放送番組の各々を、前記一の放送番組として、前記同一文字列を取得する制御を行うように構成されている、請求項２または３に記載の録画装置。
【請求項５】
前記制御部は、前記同一文字列を取得する際に、前記電子番組表に含まれる放送番組のうち、所定のチャンネルに含まれる放送番組の各々、または、所定の時間帯に含まれる放送番組の各々を、前記一の放送番組として、前記同一文字列を取得するように構成されている、請求項２または３に記載の録画装置。
【請求項６】
前記制御部は、前記所定の放送番組の番組名を一部に含む番組名を有する放送番組を検出する制御を行うとともに、前記所定の放送番組の番組名を一部に含む番組名を有する放送番組が検出された場合に、前記所定の放送番組の番組名を一部に含む番組名を有する放送番組を、前記一の放送番組として、前記同一文字列を取得するように構成されている、請求項２または３に記載の録画装置。
【請求項７】
前記制御部は、前記同一文字列を取得する制御を行わない状態で、前記所定の放送番組の番組名に基づいて、前記次回予約番組を検出する制御を行うとともに、前記次回予約番組が検出されない場合に、前記同一文字列を取得する制御を行うとともに、取得した前記同一文字列を除外した状態で、前記次回予約番組を検出する制御を行うように構成されている、請求項１〜６のいずれか１項に記載の録画装置。
【請求項８】
取得した前記同一文字列を、ユーザの操作により変更または削除可能に構成されている、請求項１〜７のいずれか１項に記載の録画装置。
【請求項９】
受信部により電子番組表を含む放送波を受信するとともに、前記電子番組表中の所定の放送番組の番組名に基づいて、前記所定の放送番組の次の回として放送される放送番組を、次回予約番組として検出するための録画装置の番組予約方法であって、
前記電子番組表中の複数の放送番組の番組名から、同一文字列を取得するステップと、
取得した前記同一文字列を除外した状態で、前記次回予約番組を検出するステップと、を備える、録画装置の番組予約方法。
【発明の詳細な説明】
【技術分野】
【０００１】
この発明は、録画装置および録画装置の番組予約方法に関し、特に、電子番組表を含む放送波を受信する受信部を備える録画装置およびこの録画装置の番組予約方法に関する。
【背景技術】
【０００２】
従来、電子番組表を含む放送波を受信する受信部を備える録画装置が知られている（たとえば、特許文献１参照）。
【０００３】
上記特許文献１には、電子番組表を含む放送波を受信するＴＶチューナ（受信部）と、受信した放送波に含まれる電子番組表を表示するモニタＴＶと、モニタＴＶに表示される電子番組表を操作して予約録画する番組を設定するためのリモコンと、を備える番組予約記録装置（録画装置）が開示されている。この番組予約記録装置は、リモコンにより所定の番組の予約録画を設定する場合には、所定の番組だけでなく、所定の番組とは曜日または週が異なりほぼ同一の時刻から連続して放送される、いわゆるドラマなどの連続番組としての次回番組も自動予約録画することが可能に構成されている。この際、番組予約記録装置では、予約録画した所定の番組の番組名との番組名の一致の度合いに基づいて、次回番組が検出される。
【０００４】
ここで、従来、２４時間など長時間にわたって放送される特別番組が知られている。そして、この特別番組が放送される場合に、特別番組がない場合（通常放送の場合）に放送されている番組が、特別番組の放送時間中に組み込まれて放送される場合がある。この場合、特別番組の放送時間中に組み込まれて放送される番組の番組名には、たとえば特別番組の番組名の一部など、特別番組に関連する文字列が付加される。
【先行技術文献】
【特許文献】
【０００５】
【特許文献１】特開２００３−４６９２１号公報
【発明の概要】
【発明が解決しようとする課題】
【０００６】
しかしながら、上記特許文献１に記載の番組予約記録装置では、特別番組などに関連して次回番組の番組名に文字列が付加されるような場合には、所定の番組の番組名と、文字列が付加された状態の次回番組の番組名との一致の度合いは、番組名とは関係のない文字列が付加された分低下するため、次回番組が自動予約録画の対象として検出されない場合があるという問題点がある。
【０００７】
この発明は、上記のような課題を解決するためになされたものであり、この発明の１つの目的は、特別番組などに関連して番組名に文字列が付加されるような場合にも、次回予約番組を検出することが可能な録画装置および録画装置の番組予約方法を提供することである。
【課題を解決するための手段】
【０００８】
この発明の第１の局面による録画装置は、電子番組表を含む放送波を受信する受信部と、電子番組表中の所定の放送番組の番組名に基づいて、所定の放送番組の次の回として放送される放送番組を、次回予約番組として検出する制御を行う制御部と、を備え、制御部は、電子番組表中の複数の放送番組の番組名から、同一文字列を取得するとともに、取得した同一文字列を除外した状態で、次回予約番組を検出する制御を行うように構成されている。
【０００９】
この発明の第１の局面による録画装置では、上記のように、電子番組表中の複数の放送番組の番組名から、同一文字列を取得する制御を行うように制御部を構成することによって、通常特別番組などに関連して番組名に付加される文字列が複数の放送番組の番組名に共通する同一文字列として付加されることを利用して、特別番組などに関連して番組名に付加される文字列を除外する文字列として取得することができる。そして、取得した同一文字列を除外した状態で、次回予約番組を検出する制御を行うように制御部を構成することによって、特別番組などに関連して番組名に付加される文字列（すなわち、取得した同一文字列）を除外した状態で、次回予約番組を検出することができる。その結果、特別番組などに関連して番組名に文字列が付加される場合にも次回予約番組を検出することができる。
【００１０】
上記第１の局面による録画装置において、好ましくは、制御部は、電子番組表中の一の放送番組の番組名と、一の放送番組が放送される時間の前後の時間に連続して放送される他の放送番組の番組名とからなる電子番組表中の複数の放送番組の番組名から、同一文字列を取得する制御を行うように構成されている。このように構成すれば、通常特別番組などに関連して番組名に付加される文字列が時間的に連続して放送される複数の放送番組の番組名に付加されることを利用して、特別番組などに関連して番組名に付加される文字列を容易に取得することができる。
【００１１】
この場合、好ましくは、制御部は、次回予約番組の検索対象の放送番組の放送される時間と対応する時間帯に放送される一の放送番組の番組名と、一の放送番組が放送される時間の前後の時間に連続して放送される他の放送番組の番組名とからなる電子番組表中の複数の放送番組の番組名から、同一文字列を取得する制御を行うように構成されている。このように構成すれば、次回予約番組が存在する可能性が高い時間帯の放送番組およびその前後の放送番組から同一文字列を取得することができるので、より効果的に、次回予約番組を検出することができる。
【００１２】
上記一の放送番組の番組名と他の放送番組の番組名とから同一文字列を取得する構成において、好ましくは、制御部は、同一文字列を取得する際に、電子番組表に含まれる全ての放送番組の各々を、一の放送番組として、同一文字列を取得する制御を行うように構成されている。このように構成すれば、電子番組表に含まれる全ての放送番組の各々において、同一文字列を取得することができるので、特別番組などに関連して番組名に付加される文字列を、確実に、取得することができる。
【００１３】
上記一の放送番組の番組名と他の放送番組の番組名とから同一文字列を取得する構成において、好ましくは、制御部は、同一文字列を取得する際に、電子番組表に含まれる放送番組のうち、所定のチャンネルに含まれる放送番組の各々、または、所定の時間帯に含まれる放送番組の各々を、一の放送番組として、同一文字列を取得するように構成されている。このように構成すれば、電子番組表に含まれる全ての放送番組の各々を一の放送番組として同一文字列を取得する構成と比べて、同一文字列を取得する処理に関する処理負荷を軽減することができる。その結果、同一文字列を取得する処理にかかる時間を短縮することができるので、同一文字列を取得する処理にかかる時間を短縮した分、次回予約番組を検出する処理の結果をユーザに迅速に提示することができる。
【００１４】
上記一の放送番組の番組名と他の放送番組の番組名とから同一文字列を取得する構成において、好ましくは、制御部は、所定の放送番組の番組名を一部に含む番組名を有する放送番組を検出する制御を行うとともに、所定の放送番組の番組名を一部に含む番組名を有する放送番組が検出された場合に、所定の放送番組の番組名を一部に含む番組名を有する放送番組を、一の放送番組として、同一文字列を取得するように構成されている。このように構成すれば、所定の放送番組の番組名を一部に含む番組名を有する放送番組が次回予約番組である可能性の高い放送番組であることを利用して、次回予約番組である可能性の高い放送番組が検出された場合に、その次回予約番組である可能性の高い放送番組および対応する他の放送番組の番組名から、同一文字列を取得することができる。これにより、同一文字列をより効果的に取得しながら、電子番組表の一部のみを検出対象とすることにより同一文字列を取得する処理に関する処理負荷を軽減することができる。
【００１５】
上記第１の局面による録画装置において、好ましくは、制御部は、所定の放送番組の番組名以外の同一文字列を取得する制御を行わない状態で、所定の放送番組の番組名に基づいて、次回予約番組を検出する制御を行うとともに、次回予約番組が検出されない場合に、同一文字列を取得する制御を行うとともに、取得した同一文字列を除外した状態で、次回予約番組を検出する制御を行うように構成されている。このように構成すれば、同一文字列を除外しなくとも次回予約番組が検出される場合には、同一文字列を取得する制御が行われないので、この場合には、同一文字列を取得する制御に関する処理負荷を削減することができる。一方、次回予約番組が検出されない場合には、同一文字列を取得する制御を行って、同一文字列を取得することができるので、次回予約番組を検出することができる。
【００１６】
上記第１の局面による録画装置において、好ましくは、取得した同一文字列を、ユーザの操作により変更または削除可能に構成されている。このように構成すれば、ユーザの所望しない文字列が制御部により取得されたとしても、ユーザの操作により所望しない文字列を変更または削除することができるので、次回予約番組を検出する処理に関するユーザの利便性を向上させることができる。
【００１７】
この発明の第２の局面による録画装置の番組予約方法は、受信部により電子番組表を含む放送波を受信するとともに、電子番組表中の所定の放送番組の番組名に基づいて、所定の放送番組の次の回として放送される放送番組を、次回予約番組として検出するための録画装置の番組予約方法であって、電子番組表中の複数の放送番組の番組名から、同一文字列を取得するステップと、取得した同一文字列を除外した状態で、次回予約番組を検出するステップと、を備える。
【００１８】
この発明の第２の局面による録画装置の番組予約方法では、上記のように、電子番組表中の複数の放送番組の番組名から、同一文字列を取得するステップを設けることによって、通常特別番組などに関連して番組名に付加される文字列が複数の放送番組の番組名に共通する同一文字列として付加されることを利用して、特別番組などに関連して番組名に付加される文字列を除外する文字列として取得することができる。そして、取得した同一文字列を除外した状態で、次回予約番組を検出するステップを設けることによって、特別番組などに関連して番組名に付加される文字列（すなわち、取得した同一文字列）を除外した状態で、次回予約番組を検出することができる。その結果、特別番組などに関連して番組名に文字列が付加される場合にも次回予約番組を検出することが可能な録画装置の番組予約方法を提供することができる。
【発明の効果】
【００１９】
本発明によれば、上記のように、特別番組などに関連して番組名に文字列が付加されるような場合にも、次回予約番組を検出することが可能な録画装置および録画装置の番組予約方法を提供することができる。
【図面の簡単な説明】
【００２０】
【図１】本発明の第１〜第４実施形態による録画装置の全体構成を示すブロック図である。
【図２】本発明の第１実施形態による録画装置の予約のために指定された放送番組の予約情報を説明するための図である。
【図３】本発明の第１実施形態による録画装置の取得した同一文字列を除外する前の電子番組表の一部を示す図である。
【図４】本発明の第１実施形態による録画装置の取得した同一文字列を除外した後の電子番組表の一部を示す図である。
【図５】本発明の第１実施形態による録画装置の次回予約番組検索処理を説明するためのフローチャートである。
【図６】本発明の第２実施形態による録画装置の除外文字列変更画面を示した図である。
【図７】本発明の第３実施形態による録画装置の次回予約番組検索処理を説明するためのフローチャートである。
【図８】本発明の第４実施形態による録画装置の次回予約番組検索処理を説明するためのフローチャートである。
【発明を実施するための形態】
【００２１】
以下、本発明を具体化した実施形態を図面に基づいて説明する。
【００２２】
（第１実施形態）
図１を参照して、本発明の第１実施形態による録画装置１００の構成について説明する。
【００２３】
本発明の第１実施形態による録画装置１００は、図１に示すように、録画再生機能を有するテレビジョン装置である。詳細には、録画装置１００は、現在放送されている放送番組の録画機能、これから放送される放送番組の予約機能、および、録画した放送番組の再生機能などの機能を有している。ここで、放送番組の予約とは、放送番組の視聴予約および録画予約の両方を含んでいる。
【００２４】
また、録画装置１００は、これから放送される放送番組の予約機能として、これから放送される所定の放送番組を予約する機能、および、所定の放送番組の次の回として放送される放送番組を予約する機能などを有している。これから放送される所定の放送番組を予約する機能は、ユーザが１つの放送番組を予約するための機能である。また、所定の放送番組の次の回として放送される放送番組を予約する機能は、ドラマなどの放送番組を予約するための機能であり、毎週または毎日など、所定の時間間隔で放送される放送番組を連続して予約するための機能である。この録画装置１００では、これらの予約機能は、ユーザにより電子番組表内の所定の放送番組が選択操作されたことに基づいて、実行される。なお、所定の放送番組は、ユーザにより任意に選定される。
【００２５】
また、録画装置１００は、所定の放送番組の次の回として放送される放送番組を予約する場合には、電子番組表中の所定の放送番組の番組名に基づいて、所定の放送番組の次の回として放送される放送番組を、電子番組表から予約のために検索して次回予約番組として検出するように構成されている。この次回予約番組検索処理の詳細については、録画装置１００の各構成要素の説明の後、説明する。
【００２６】
録画装置１００は、受信部１１と、復調部１２と、デマルチプレクサ１３と、デコーダ１４と、Ｄ／Ａコンバータ１５と、映像処理部１６と、スピーカ１７と、表示部１８と、操作部１９と、入力受付部２０と、ＲＯＭ２１と、ＲＡＭ２２と、記憶部２３と、制御部２４とを備えている。
【００２７】
受信部１１は、チューナを含んでいる。また、受信部１１は、放送番組に関する映像情報、音声情報および電子番組表を構成するための番組情報などの情報を含む放送波を無線または有線で受信するように構成されている。なお、電子番組表を構成するための番組情報には、番組名、放送番組の開始時刻および終了時刻、出演者名などの情報が含まれている。
【００２８】
復調部１２は、受信部１１により受信された放送波を復調して、映像情報、音声情報および電子番組表を構成するための番組情報をデジタル信号としてデマルチプレクサ１３に出力するように構成されている。
【００２９】
デマルチプレクサ１３は、入力された映像情報、音声情報および電子番組表を構成するための番組情報を各々の情報に分離するように構成されている。また、デマルチプレクサ１３は、分離した映像情報および音声情報をデコーダ１４に、電子番組表を構成するための番組情報を制御部２４に出力するように構成されている。
【００３０】
デコーダ１４は、入力された映像情報および音声情報を復号（デコード）するように構成されている。また、デコーダ１４は、復号した音声情報をＤ／Ａコンバータ１５に、復号した映像情報を映像処理部１６に各々出力するように構成されている。
【００３１】
Ｄ／Ａコンバータ１５は、入力された音声情報をデジタル信号からアナログ信号に変換して、スピーカ１７に出力するように構成されている。そして、スピーカ１７では、入力された音声情報に基づいて音声が出力される。
【００３２】
映像出力部１８は、制御部２４の制御に基づいて、映像情報を表示部１８に出力するように構成されている。具体的には、映像出力部１８は、制御部２４の制御に基づいて、デコーダ１４から入力された放送番組に関する映像情報、録画された放送番組に関する映像情報、または、番組情報に基づいて構成された電子番組表の映像情報などの映像情報を表示部１８に出力するように構成されている。そして、表示部１８では、入力された映像情報に基づいて、放送番組または電子番組表などの映像が表示される。
【００３３】
操作部１９は、録画装置１００をユーザが操作するためのリモコン装置を含んでいる。また、操作部１９は、録画装置１００に関する各種の操作が可能なように構成されている。詳細には、操作部１９は、視聴する放送番組を切り替えるためのチャンネル切替操作、放送番組を録画するための録画操作、録画した放送番組を再生するための再生操作、または、放送番組を予約するための予約操作などの操作が可能なように構成されている。また、操作部１９は、各種の操作がユーザによりなされた場合には、なされた操作に対応する操作信号を入力受付部２０に出力するように構成されている。
【００３４】
入力受付部２０は、操作部１９からの操作信号を受付するように構成されている。また、入力受付部２０は、受付した操作信号を制御部２４に出力するように構成されている。そして、制御部２４では、受付した操作信号に応じた制御が行われる。
【００３５】
ＲＯＭ２１は、書き換え可能なフラッシュＲＯＭを含む不揮発性のメモリである。ＲＯＭ２１は、制御部２４により実行される各種のプログラムが格納されるように構成されている。詳細には、ＲＯＭ２１は、後述する次回予約番組検索処理（図５参照）のためのプログラムなどが格納されるように構成されている。
【００３６】
ＲＡＭ２２は、揮発性のメモリである。また、ＲＡＭ２２は、ＲＯＭ２１に格納されたプログラムが制御部２４により実行される際に、作業領域として利用されるように構成されている。詳細には、ＲＡＭ２２は、次回予約番組検索処理のためのプログラムが制御部２４により実行される際などに作業領域として利用されるように構成されている。
【００３７】
記憶部２３は、内蔵または外付けのハードディスクドライブを含んでいる。記憶部２３では、録画された放送番組の情報が記憶媒体（ハードディスクなど）に格納されるように構成されている。なお、記憶部２３には、録画された放送番組の情報をＤＶＤやＢＤなどの光ディスクに記憶させることが可能な光ディスクドライブが用いられてもよいし、ハードディスクドライブおよび光ディスクドライブの両方が用いられてもよい。
【００３８】
制御部２４は、録画装置１００の各構成要素を制御するように構成されている。
【００３９】
次に、図２〜図４を参照して、所定の放送番組の次の回として放送される放送番組を予約する機能に関する制御部２４による制御について説明する。なお、ユーザによる操作は、操作部１９を用いて行われる。
【００４０】
まず、制御部２４は、図２に示すように、表示部１８に表示される電子番組表中の所定の放送番組がユーザにより予約操作された場合には、予約操作された所定の放送番組の番組情報を取得する制御を行うように構成されている。所定の放送番組の番組情報には、図２に示すように、所定の放送番組が放送されるチャンネルの情報（４ＣＨ）、所定の放送番組の放送開始時刻の情報（２０１４年３月１８日  火曜日  ２１：００）、所定の放送番組の放送終了時刻の情報（２０１４年３月１８日  火曜日  ２２：００）、所定の放送番組の番組名（「相方」）が含まれている。
【００４１】
また、制御部２４は、取得した所定の放送番組の番組名（図２では、「相方」）に基づいて、所定の放送番組の次の回として放送される放送番組を、電子番組表から予約のために検索して次回予約番組として検出する制御を行うように構成されている。
【００４２】
具体的には、まず、制御部２４は、取得した所定の放送番組の番組名と、電子番組表の次回予約番組の検索対象の放送番組の番組名との一致の度合いを、所定のアルゴリズムに基づいて取得する制御を行うように構成されている。検索対象の放送番組としては、たとえば、毎週放送される放送番組を連続して予約する場合には、所定の放送番組の一週間後の日で、かつ、所定の放送番組の放送される時間の前後１時間で、かつ、所定の放送番組が放送されるのと同じチャンネルに含まれる放送番組を設定することができる。この場合、図２に示す所定の放送番組の例では、「２０１４年３月２５日  火曜日  ２０：００〜２３：００の間に４ＣＨで放送される放送番組」が、次回予約番組の検索対象の放送番組として設定される。
【００４３】
そして、制御部２４は、検索対象の放送番組の各々において、所定のアルゴリズムに基づいて取得した一致の度合いが、次回予約番組であるか否かを判定するためのしきい値よりも大きいか否かを判定するとともに、しきい値よりも大きい場合には、その検索対象の放送番組を次回予約番組として検出する制御を行うように構成されている。なお、取得した一致の度合いが、しきい値以下である場合には、その検索対象の放送番組は、次回予約番組として検出されない。
【００４４】
ここで、図３に示すように、２４時間（図３では５５時間）など長時間にわって放送される特別番組などに関連して、毎週または毎日放送されている放送番組の番組名に文字列が付加される場合がある。図３では、本来「相方」である番組名に、特別番組などに関連して「５５時間テレビ」という文字列が付加されている。この場合には、所定の放送番組の番組名（「相方」）と、文字列が付加された状態の放送番組の番組名（「５５時間テレビ  相方」）との一致の度合いが低下するため、本来次回予約番組として検出されるはずの放送番組が、次回予約番組として検出されない場合がある。
【００４５】
そこで、第１実施形態では、制御部２４は、電子番組表中の複数の放送番組の番組名から所定の放送番組の番組名以外の同一文字列を検索して、取得する制御を行うとともに、文字列が取得された場合に、取得した同一文字列を、少なくとも次回予約番組の検索対象の放送番組の番組名から除外した状態（図４の状態）で、次回予約番組を検索して検出するように構成されている。これにより、特別番組などに関連して放送番組の番組名に付加される文字列を除外した状態で、次回予約番組を検出することが可能である。
【００４６】
また、第１実施形態では、制御部２４は、同一文字列を検索して取得する際に、電子番組表に含まれる全ての放送番組の各々を、一の放送番組とすることによって、次回予約番組の検索対象の放送番組と対応する時間帯に放送される一の放送番組の番組名と、一の放送番組が放送される時間の前後の時間に連続して放送される他の放送番組の番組名とからなる電子番組表中の複数の放送番組の番組名から、所定の放送番組の番組名以外の同一文字列を検索して、取得する制御を行うように構成されている。
【００４７】
次に、図３を参照して、同一文字列を取得する制御の一例について説明する。ここでは、図２に示す所定の放送番組が予約操作されている例について説明する。
【００４８】
たとえば、図３に示すように、２１：００から放送開始される「５５時間テレビ  相方」が一の放送番組である場合には、「５５時間テレビ  相方」が放送される時間の前後の時間に連続して放送される「△曜サスペンス」および「５５時間テレビ  ＴＨＥニュース」が他の放送番組となる。なお、前後の時間に放送される他の放送番組としては、一の放送番組が放送される時間の直前または直後に放送される放送番組だけでなく、直前に放送される放送番組より以前、または、直後に放送される放送番組より以後の放送番組も含んでいてもよい。
【００４９】
この場合、「５５時間テレビ  相方」と、「△曜サスペンス」および「５５時間テレビ  ＴＨＥニュース」とから、所定の放送番組の番組名（「相方」）以外の同一文字列が検索される。つまり、「５５時間テレビ  相方」から「５５時間テレビ」が所定の放送番組の番組名以外の文字列として、抽出される。そして、「５５時間テレビ」が「５５時間テレビ  ＴＨＥニュース」に含まれていることにより、「５５時間テレビ」が所定の放送番組の番組名以外の同一文字列として取得される。なお、所定の放送番組の番組名以外の同一文字列がない場合には、除外する文字列は取得されない。この録画装置１００では、このような除外する文字列を取得する制御が、電子番組表に含まれる全ての放送番組の各々について実行される。
【００５０】
次に、図３および図４を参照して、上記した取得した同一文字列を除外した状態で次回予約番組を検索して検出する制御の一例について説明する。ここでは、図２に示す所定の放送番組が予約操作されているとともに、「２０１４年３月２５日  火曜日  ２０：００〜２３：００の間に４ＣＨで放送される放送番組」が、次回予約番組の検索対象の放送番組として設定されている例について説明する。また、一致の度合いは、所定のアルゴリズムに基づいて、０〜２００の範囲の数値のいずれかに変換される。なお、数値が高ければ高いほど、一致の度合いが大きいと判定される。また、次回予約番組であるか否かを判定するためのしきい値は、６０に設定されている。
【００５１】
図３では、「２０１４年３月２５日  火曜日  １９：００〜２４：００の間に４ＣＨで放送される放送番組」において、取得した同一文字列を除外する前の状態を示している。したがって、「△曜サスペンス劇場」、「５５時間テレビ  相方」、および、「５５時間テレビ  ＴＨＥニュース」が次回予約番組の検索対象の放送番組である。
【００５２】
取得した同一文字列が除外されていない状態では、これらの放送番組の番組名について、所定の放送番組の番組名（「相方」）との一致の度合いが、所定のアルゴリズムに基づいて制御部２４により取得される。この場合、「△曜サスペンス劇場」、「５５時間テレビ  ＴＨＥニュース」には、「相方」と同一の文字列が含まれていないので、一致の度合いは０である。また、「相方」と、「５５時間テレビ  相方」との所定のアルゴリズムに基づく一致の度合いは、２８である。したがって、取得した一致の度合い（２８）が、しきい値（６０）以下であるので、取得した同一文字列が除外されていない状態では、本来次回予約番組として検出されるはずの「５５時間テレビ  相方」は、次回予約番組として検出されない。
【００５３】
一方、図４では、「２０１４年３月２５日  火曜日  １９：００〜２４：００の間に４ＣＨで放送される放送番組」において、取得した同一文字列（「５５時間テレビ」）を除外した後の状態を示している。したがって、「△曜サスペンス劇場」、「相方」、および、「ＴＨＥニュース」が次回予約番組の検索対象の放送番組である。
【００５４】
そして、これらの放送番組の番組名について、所定の放送番組の番組名（「相方」）との一致の度合いが、所定のアルゴリズムに基づいて制御部２４により取得される。この場合にも、「△曜サスペンス劇場」、「ＴＨＥニュース」には、「相方」と同一の文字列が含まれていないので、一致の度合いは０である。
【００５５】
また、所定の放送番組の番組名としての「相方」と、次回予約番組の検索対象の放送番組の番組名としての「相方」との所定のアルゴリズムに基づく一致の度合いは、２００（最大値）である。したがって、取得した一致の度合い（２００）が、しきい値（６０）よりも大きいので、取得した同一文字列が除外された状態では、元々番組名が「５５時間テレビ  相方」であった放送番組を、次回予約番組として検出することができる。なお、上記した数値はあくまでも一例であり、これに限定されるものではない。
【００５６】
次に、図５を参照して、録画装置１００における次回予約番組検索処理について、フローチャートに基づいて説明する。
【００５７】
まず、図５に示すように、ステップＳ１において、電子番組表に含まれる全ての放送番組の各々から、同一文字列を検索する制御が制御部２４（図１参照）により行われる。具体的には、電子番組表に含まれる全ての放送番組の各々について、所定の放送番組の番組名以外の同一文字列を検索する制御が制御部２４により行われる。
【００５８】
そして、ステップＳ２において、同一文字列があるか否かを判定する制御が制御部２４により行われる。すなわち、電子番組表に含まれる全ての放送番組の各々において、所定の放送番組の番組名以外の同一文字列が見つかったか否かを判定する制御が制御部２４により行われる。見つからなかったと判定された場合には、除外する文字列を取得することなく、ステップＳ５に進む。また、見つかったと判定された場合には、ステップＳ３に進む。
【００５９】
そして、ステップＳ３において、同一文字列を取得する制御が制御部２４により行われる。具体的には、電子番組表に含まれる全ての放送番組の各々において見つかった所定の放送番組の番組名以外の同一の文字列を取得する制御が制御部２４により行われる。
【００６０】
そして、ステップＳ４において、電子番組表に含まれる全ての放送番組の各々から、取得した同一文字列を除外する制御が制御部２４により行われる。具体的には、１つの同一文字列が取得された場合には、１つの同一文字列を除外し、複数の同一文字列が取得された場合には、複数の同一文字列を除外する制御が制御部２４により行われる。これにより、電子番組表は、取得した同一文字列を、次回予約番組の検索対象の放送番組の番組名から除外した状態になる。
【００６１】
そして、ステップＳ５において、次回予約番組を検索する制御が制御部２４により行われる。具体的には、所定の放送番組の番組名と、電子番組表の次回予約番組の検索対象の放送番組の番組名との一致の度合いに基づいて、次回予約番組を検索する制御が制御部２４により行われる。
【００６２】
そして、ステップＳ６において、次回予約番組が検出されたか否かを判定する制御が制御部２４により行われる。すなわち、一致の度合いがしきい値よりも大きい番組が見つかったか否かを判定する制御が制御部２４により行われる。一致の度合いがしきい値よりも大きい番組が見つかった場合には、ステップＳ７に進む。また、一致の度合いがしきい値よりも大きい番組が見つからなかった場合には、ステップＳ８に進む。
【００６３】
そして、次回予約番組が検出された場合には、ステップＳ７において、検出された次回予約番組を提示する制御が制御部２４により行われる。具体的には、検出された次回予約番組を表示部１８（図１参照）に表示する制御が制御部２４により行われる。そして、録画装置１００における次回予約番組検索処理が終了される。
【００６４】
また、次回予約番組が検出されない場合には、ステップＳ８において、次回予約番組が検出されないことを提示する制御が制御部２４により行われる。具体的には、次回予約番組が検出されないことを表示部１８に表示する制御が制御部２４により行われる。そして、録画装置１００における次回予約番組検索処理が終了される。
【００６５】
第１実施形態では、以下のような効果を得ることができる。
【００６６】
第１実施形態では、上記のように、電子番組表中の複数の放送番組の番組名から、同一文字列を取得する制御を行うように制御部２４を構成することによって、通常特別番組などに関連して番組名に付加される文字列（たとえば、「５５時間テレビ」）が複数の放送番組の番組名に共通する同一文字列として付加されることを利用して、特別番組などに関連して番組名に付加される文字列を除外する文字列として取得することができる。そして、取得した同一文字列を除外した状態で、次回予約番組を検出する制御を行うように制御部２４を構成することによって、特別番組などに関連して番組名に付加される文字列（すなわち、取得した同一文字列）を除外した状態で、次回予約番組を検出することができる。その結果、特別番組などに関連して番組名に文字列が付加される場合にも次回予約番組を検出することができる。
【００６７】
また、第１実施形態では、上記のように、電子番組表中の一の放送番組の番組名と、一の放送番組が放送される時間の前後の時間に連続して放送される他の放送番組の番組名とからなる電子番組表中の複数の放送番組の番組名から、同一文字列を取得する制御を行うように制御部２４を構成する。これにより、通常特別番組などに関連して番組名に付加される文字列が時間的に連続して放送される複数の放送番組の番組名に付加されることを利用して、特別番組などに関連して番組名に付加される文字列を容易に取得することができる。
【００６８】
また、第１実施形態では、上記のように、次回予約番組の検索対象の放送番組の放送される時間と対応する時間帯に放送される一の放送番組の番組名と、一の放送番組が放送される時間の前後の時間に連続して放送される他の放送番組の番組名とからなる電子番組表中の複数の放送番組の番組名から、同一文字列を取得する制御を行うように制御部２４を構成する。これにより、次回予約番組が存在する可能性が高い時間帯の放送番組およびその前後の放送番組から同一文字列を取得することができるので、より効果的に、次回予約番組を検出することができる。
【００６９】
また、第１実施形態では、上記のように、同一文字列を取得する際に、電子番組表に含まれる全ての放送番組の各々を、一の放送番組として、同一文字列を取得する制御を行うように制御部２４を構成する。これにより、電子番組表に含まれる全ての放送番組の各々において、同一文字列を取得することができるので、特別番組などに関連して番組名に付加される文字列を、確実に、取得することができる。
【００７０】
（第２実施形態）
次に、図１および図６を参照して、第２実施形態について説明する。この第２実施形態では、上記第１実施形態の構成に加えて、取得した同一文字列を、ユーザの操作により変更または削除可能に構成されている例について説明する。
【００７１】
本発明の第２実施形態による録画装置２００は、図１に示すように、取得した同一文字列を、ユーザの操作により変更または削除可能にユーザに提示する制御を行う制御部１２４を備えている。なお、上記第１実施形態と同一の構成については、同じ符号を付してその説明を省略する。
【００７２】
第２実施形態では、制御部１２４は、電子番組表中の複数の放送番組の番組名から所定の放送番組の番組名以外の同一文字列を取得する制御を行うとともに、図６に示すように、表示部１８に除外文字列変更画面５０を表示する制御を行うように構成されている。これにより、制御部１２４は、取得された同一文字列を、ユーザの操作により変更または削除可能にユーザに提示する制御を行うように構成されている。除外文字列変更画面５０には、同一文字列として取得された文字列またはユーザにより登録された文字列と、変更操作ボタン（変更ボタン５１および削除ボタン５２）とが表示されている。
【００７３】
変更ボタン５１は、除外する文字列の変更を行うための画像上のボタンである。変更ボタン５１は、ユーザにより操作部１９（図１参照）を用いて操作される。除外する文字列の変更とは、たとえば、取得された同一文字列の文字の追加または削除、または、除外する文字列のユーザによる登録である。すなわち、除外文字列変更画面５０では、取得された同一文字列を変更すること、または、ユーザにより任意の除外する文字列を新たに登録することが可能である。図６では、次回予約番組検索処理の際に同一文字列として、「５５時間テレビ」が制御部１２４により取得されており、その他の除外する文字列として、「拡大スペシャル」がユーザにより登録された例を示している。
【００７４】
削除ボタン５２は、除外する文字列の削除を行うための画像上のボタンである。削除ボタン５２は、ユーザにより操作部１９を用いて操作される。除外する文字列の削除ボタン５２を操作することにより削除された文字列は、次回予約検索処理の際に、番組名から除外されない。
【００７５】
なお、第２実施形態のその他の構成は、上記第１実施形態と同様である。
【００７６】
第２実施形態では、以下のような効果を得ることができる。
【００７７】
第２実施形態では、上記のように、電子番組表中の複数の放送番組の番組名から、同一文字列を取得する制御を行うように制御部１２４を構成することによって、上記第１実施形態と同様に、特別番組などに関連して番組名に文字列が付加される場合にも次回予約番組を検出することができる。
【００７８】
また、第２実施形態では、上記のように、取得した同一文字列を、ユーザの操作により変更または削除可能にユーザに提示する制御を行うように制御部１２４を構成する。これにより、ユーザの所望しない文字列が制御部１２４により取得されたとしても、ユーザの操作により所望しない文字列を変更または削除することができるので、次回予約番組を検出する処理に関するユーザの利便性を向上させることができる。
【００７９】
なお、第２実施形態のその他の効果は、上記第１実施形態と同様である。
【００８０】
（第３実施形態）
次に、図１および図７を参照して、第３実施形態について説明する。この第３実施形態では、電子番組表に含まれる全ての放送番組の各々から、同一文字列を取得した上記第１実施形態とは異なり、所定のチャンネルに含まれる放送番組の各々から同一文字列を取得する例について説明する。
【００８１】
本発明の第３実施形態による録画装置３００は、図１に示すように、所定のチャンネルに含まれる放送番組の各々のみから所定の放送番組の番組名以外の同一文字列を取得する制御部２２４を備えている。なお、上記第１および第２実施形態と同一の構成については、同じ符号を付してその説明を省略する。
【００８２】
第３実施形態では、制御部２２４は、上記第１実施形態と同様に、電子番組表中の複数の放送番組の番組名から所定の放送番組の番組名以外の同一文字列を取得する制御を行うとともに、取得した同一文字列を、少なくとも次回予約番組の検索対象の放送番組の番組名から除外した状態で、次回予約番組を検索して検出するように構成されている。
【００８３】
また、第３実施形態では、制御部２２４は、所定の放送番組の番組名以外の同一文字列を取得する際に、電子番組表に含まれる放送番組のうち所定のチャンネルに含まれる放送番組の各々を、一の放送番組とすることによって、次回予約番組の検索対象の放送番組と対応する時間帯に放送される一の放送番組の番組名と、一の放送番組が放送される時間の前後の時間に連続して放送される他の放送番組の番組名とからなる電子番組表中の複数の放送番組の番組名から、所定の放送番組の番組名以外の同一文字列を取得する制御を行うように構成されている。なお、所定のチャンネルは、次回予約番組の検索対象の放送番組が放送されるチャンネル（上記第１実施形態の例では、４ＣＨ）であることが好ましい。
【００８４】
次に、図７を参照して、録画装置３００における次回予約番組検索処理について、フローチャートに基づいて説明する。なお、図５に示した上記第１実施形態と同一の処理については、同じ符号を付してその説明を省略する。
【００８５】
まず、図７に示すように、ステップＳ１ａにおいて、電子番組表の所定のチャンネルに含まれる全ての放送番組の各々から、同一文字列を検索する制御が制御部２２４（図１参照）により行われる。具体的には、電子番組表に含まれる放送番組のうち所定のチャンネルに含まれる放送番組の各々のみについて、所定の放送番組の番組名以外の同一文字列を検索する制御が制御部２２４により行われる。そして、上記第１実施形態と同様に、ステップＳ２〜Ｓ８の処理が行われて、録画装置３００における次回予約番組検索処理が終了される。
【００８６】
なお、第３実施形態のその他の構成は、上記第１実施形態と同様である。
【００８７】
第３実施形態では、以下のような効果を得ることができる。
【００８８】
第３実施形態では、上記のように、電子番組表中の複数の放送番組の番組名から、同一文字列を取得する制御を行うように制御部２２４を構成することによって、上記第１実施形態と同様に、特別番組などに関連して番組名に文字列が付加される場合にも次回予約番組を検出することができる。
【００８９】
また、第３実施形態では、上記のように、同一文字列を取得する際に、電子番組表に含まれる放送番組のうち、所定のチャンネルに含まれる放送番組の各々を、一の放送番組として、同一文字列を取得するように制御部２２４を構成する。これにより、電子番組表に含まれる全ての放送番組の各々を一の放送番組として同一文字列を取得する構成と比べて、同一文字列を取得する処理に関する処理負荷を軽減することができる。その結果、同一文字列を検索する処理にかかる時間を短縮することができるので、同一文字列を取得する処理にかかる時間を短縮した分、次回予約番組検索処理の結果をユーザに迅速に提示することができる。
【００９０】
なお、第３実施形態のその他の効果は、上記第１実施形態と同様である。
【００９１】
（第４実施形態）
次に、図１および図８を参照して、第４実施形態について説明する。この第４実施形態では、上記第１および第３実施形態と異なり、同一文字列を取得する制御を行わない状態で、次回予約番組を検出する制御を行うとともに、次回予約番組が検出されない場合に、同一文字列を取得する制御を行う例について説明する。
【００９２】
本発明の第４実施形態による録画装置４００は、図１に示すように、所定の放送番組の番組名以外の同一文字列を取得する制御を行わない状態で、次回予約番組を検索して検出する制御を行うとともに、次回予約番組が検出されない場合に、同一文字列を取得する制御を行う制御部３２４を備えている。なお、上記第１〜第３実施形態と同一の構成については、同じ符号を付してその説明を省略する。
【００９３】
制御部３２４は、上記第１実施形態と同様に、所定のアルゴリズムに基づいて取得した所定の放送番組の番組名との番組名の一致の度合いが、次回予約番組であるか否かを判定するためのしきい値よりも大きいか否かを判定するとともに、しきい値よりも大きい場合には、その放送番組を次回予約番組として検出する制御を行うように構成されている。
【００９４】
ここで、第４実施形態では、制御部３２４は、所定の放送番組の番組名以外の同一文字列を取得する制御を行わない状態で、次回予約番組を検索して検出する制御を行うように構成されている。また、制御部３２４は、次回予約番組が検出されない場合（取得した一致の度合いがしきい値以下である場合）で、かつ、所定の放送番組の番組名を一部に含む番組名を有する放送番組が検出された場合（たとえば、所定の放送番組の番組名が「相方」であり、「５５時間テレビ  相方」が所定の放送番組の番組名を一部に含む番組名を有する放送番組として検出された場合）に、所定の放送番組の番組名以外の同一文字列を取得するとともに、取得した同一文字列を、次回予約番組の検索対象の放送番組の番組名から除外した状態で、次回予約番組を検索して検出する制御を行うように構成されている。
【００９５】
また、制御部３２４は、所定の放送番組の番組名を一部に含む番組名を有する放送番組が検出された場合に、所定の放送番組の番組名を一部に含む番組名を有する放送番組を、一の放送番組とすることによって、次回予約番組の検索対象の放送番組と対応する時間帯に放送される一の放送番組の番組名と、一の放送番組が放送される時間の前後の時間に連続して放送される他の放送番組の番組名とからなる電子番組表中の複数の放送番組の番組名から、所定の放送番組の番組名以外の同一文字列を取得する制御を行うように構成されている。
【００９６】
次に、図８を参照して、録画装置４００における次回予約番組検索処理についてフローチャートに基づいて説明する。
【００９７】
まず、図８に示すように、ステップＳ１１において、次回予約番組を検索する制御が制御部３２４（図１参照）により行われる。具体的には、所定の放送番組の番組名以外の同一文字列を取得する制御を行わない状態で、所定の放送番組の番組名と、電子番組表の次回予約番組の検索対象の放送番組の番組名との一致の度合いに基づいて、次回予約番組を検索する制御が制御部３２４により行われる。
【００９８】
そして、ステップＳ１２において、次回予約番組が検出されたか否かを判定する制御が制御部３２４により行われる。すなわち、一致の度合いがしきい値よりも大きい番組が見つかったか否かを判定する制御が制御部３２４により行われる。一致の度合いがしきい値よりも大きい番組が見つかった場合には、ステップＳ２０に進む。また、一致の度合いがしきい値よりも大きい番組が見つからなかった場合には、ステップＳ１３に進む。
【００９９】
そして、ステップＳ１３において、所定の放送番組の番組名を一部に含む番組名を有する放送番組があるか否かを判定する制御が制御部３２４により行われる。所定の放送番組の番組名を一部に含む番組名を有する放送番組がないと判定された場合には、次回予約番組が検出されないので、ステップＳ２１に進む。また、所定の放送番組の番組名を一部に含む番組名を有する放送番組があると判定された場合には、除外する文字列を含んでいる可能性があるので、ステップＳ１４に進む。
【０１００】
そして、ステップＳ１４において、所定の放送番組の番組名を一部に含む番組名を有する放送番組から、同一文字列を検索する制御が制御部３２４により行われる。具体的には、所定の放送番組の番組名を一部に含む番組名を有する１または複数の放送番組の各々について、所定の放送番組の番組名以外の同一文字列を検索する制御が制御部３２４により行われる。
【０１０１】
そして、ステップＳ１５において、同一文字列があるか否かを判定する制御が制御部３２４により行われる。すなわち、所定の放送番組の番組名を一部に含む番組名を有する１または複数の放送番組の各々において、所定の放送番組の番組名以外の同一文字列が見つかったか否かを判定する制御が制御部３２４により行われる。見つからなかったと判定された場合には、文字列を取得することなく、ステップＳ２１に進む。また、見つかったと判定された場合には、ステップＳ１６に進む。
【０１０２】
そして、ステップＳ１６において、同一文字列を取得する制御が制御部３２４により行われる。具体的には、所定の放送番組の番組名を一部に含む番組名を有する１または複数の放送番組の各々において見つかった所定の放送番組の番組名以外の同一の文字列を取得する制御が制御部３２４により行われる。
【０１０３】
そして、ステップＳ１７において、電子番組表に含まれる全ての放送番組の各々から、同一文字列を除外する制御が制御部３２４により行われる。具体的には、１つの同一文字列が取得された場合には、１つの同一文字列を除外し、複数の同一文字列が取得された場合には、複数の同一文字列を除外する制御が制御部３２４により行われる。これにより、電子番組表は、取得した同一文字列を、次回予約番組の検索対象の放送番組の番組名から除外した状態になる。
【０１０４】
そして、ステップＳ１８において、次回予約番組を再検索する制御が制御部３２４により行われる。具体的には、ステップＳ１１とは別に、ステップＳ１６において取得された同一文字列を次回予約番組の検索対象の放送番組の番組名から除外した状態で、次回予約番組を検索して検出する制御が、再び、制御部３２４により行われる。
【０１０５】
そして、ステップＳ１９において、ステップＳ１２とは別に、次回予約番組が検出されたか否かを判定する制御が、再び、制御部３２４により行われる。すなわち、一致の度合いがしきい値よりも大きい番組が見つかったか否かを判定する制御が制御部３２４により行われる。一致の度合いがしきい値よりも大きい番組が見つかった場合には、取得した同一文字列を除外したことにより次回予約番組が検出されたと考えられるので、ステップＳ２０に進む。また、一致の度合いがしきい値よりも大きい番組が見つからなかった場合には、取得した同一文字列を除外しても次回予約番組が検出されないと考えられるので、ステップＳ２１に進む。
【０１０６】
そして、次回予約番組が検出された場合には、ステップＳ２０において、検出された次回予約番組を提示する制御が制御部３２４により行われる。具体的には、ステップＳ１２の処理、または、ステップＳ１９の処理において検出された次回予約番組を表示部１８に表示すること制御が制御部３２４により行われる。そして、録画装置４００における次回予約番組検索処理が終了される。
【０１０７】
また、次回予約番組が検出されない場合には、ステップＳ２１において、次回予約番組が検出されないことを提示する制御が制御部３２４により行われる。具体的には、次回予約番組が検出されないことを表示部１８（図１参照）に表示する制御が制御部３２４により行われる。そして、録画装置４００における次回予約番組検索処理が終了される。
【０１０８】
なお、第４実施形態のその他の構成は、上記第３実施形態と同様である。
【０１０９】
第４実施形態では、以下のような効果を得ることができる。
【０１１０】
第４実施形態では、電子番組表中の複数の放送番組の番組名から、同一文字列を取得する制御を行うように制御部３２４を構成することによって、上記第１実施形態と同様に、特別番組などに関連して番組名に文字列が付加される場合にも次回予約番組を検出することができる。
【０１１１】
また、第４実施形態では、上記のように、所定の放送番組の番組名を一部に含む番組名を有する放送番組を検索して検出する制御を行うとともに、所定の放送番組の番組名を一部に含む番組名を有する放送番組が検出された場合に、所定の放送番組の番組名を一部に含む番組名を有する放送番組を、一の放送番組として、同一文字列を取得するように制御部３２４を構成する。これにより、所定の放送番組の番組名を一部に含む番組名を有する放送番組が次回予約番組である可能性の高い放送番組であることを利用して、次回予約番組である可能性の高い放送番組が検出された場合に、その次回予約番組である可能性の高い放送番組および対応する他の放送番組の番組名から、所定の放送番組の番組名以外の同一文字列を取得することができる。その結果、同一文字列をより効果的に取得しながら、電子番組表の一部のみを検出対象とすることにより同一文字列を取得する処理に関する処理負荷を軽減することができる。
【０１１２】
また、第４実施形態では、上記のように、所定の放送番組の番組名以外の同一文字列を取得する制御を行わない状態で、所定の放送番組の番組名に基づいて、次回予約番組を検出する制御を行うとともに、次回予約番組が検出されない場合に、同一文字列を取得する制御を行うとともに、取得した同一文字列を除外した状態で、次回予約番組を検出する制御を行うように制御部３２４を構成する。これにより、同一文字列を除外しなくとも次回予約番組が検出される場合には、同一文字列を取得する制御が行われないので、この場合には、同一文字列を取得する制御に関する処理負荷を削減することができる。一方、次回予約番組が検出されない場合には、同一文字列を取得する制御を行って、同一文字列を取得することができるので、次回予約番組を検出することができる。
【０１１３】
なお、第４実施形態のその他の効果は、上記第３実施形態と同様である。
【０１１４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１１５】
たとえば、上記第１〜第４実施形態では、録画機能を有するテレビジョン装置としての録画装置１００（２００、３００、４００）に本発明を適用した例を示したが、本発明はこれに限られない。本発明は、録画機能を有するテレビジョン装置としての録画装置以外の録画装置にも適用可能である。たとえば、テレビジョン装置に接続されたレコーダや、録画可能なＳＴＢなどの録画装置に本発明を適用してもよい。この場合には、テレビジョン装置は、第１〜第４実施形態における表示部として機能するとともに、録画装置（レコーダまたは録画可能なＳＴＢなど）は、テレビジョン装置で表示する表示画面情報をテレビジョン装置に出力する制御を行う。
【０１１６】
また、上記第１〜第４実施形態では、一の放送番組の番組名と、一の放送番組が放送される時間の前後の時間に連続して放送される他の放送番組の番組名とからなる電子番組表中の複数の放送番組の番組名から、所定の放送番組の番組名以外の同一文字列を取得する制御を行うように制御部２４（１２４、２２４、３２４）を構成した例を示したが、本発明はこれに限られない。本発明では、一の放送番組が放送される時間の前後の時間に連続して放送される他の放送番組以外の放送番組の番組名を、所定の放送番組の番組名以外の同一文字列を取得する際に用いてもよい。
【０１１７】
また、上記第１〜第４実施形態では、同一文字列が取得された場合には、電子番組表に含まれる全ての放送番組の各々から、同一文字列を除外する制御を行うように制御部２４（１２４、２２４、３２４）を構成した例を示したが、本発明はこれに限られない。本発明では、同一文字列が取得された場合に、電子番組表に含まれる全ての放送番組の各々から、同一文字列を除外する制御を行うように制御部を構成しなくともよい。たとえば、同一文字列が取得された場合に、所定のチャンネルに含まれる放送番組の各々、所定の時間帯に含まれる放送番組の各々、または、所定の放送番組の番組名を一部に含む番組名を有する放送番組などから、同一文字列を除外する制御を行うように制御部を構成してもよい。
【０１１８】
また、上記第１〜第４実施形態では、取得した同一文字列を、放送番組の番組名から除外する制御を行うように制御部２４（１２４、２２４、３２４）を構成した例を示したが、本発明はこれに限られない。本発明では、取得した同一文字列を、放送番組の番組名以外から除外する制御を行うように制御部を構成してもよい。たとえば、取得した同一文字列を、次回予約番組検出の際に用いられる所定の放送番組の番組名から除外する制御を行うように制御部を構成してもよい。これにより、次回予約番組検出の際に用いられる所定の放送番組の番組名に、特別番組などに関連して文字列が付加されている場合にも、確実に、次回予約番組を検出することが可能である。
【０１１９】
また、上記第４実施形態では、１または複数の所定の放送番組の番組名を一部に含む番組名を有する放送番組の各々について、所定の放送番組の番組名以外の同一文字列を検索する制御を行うように制御部３２４を構成した例を示したが、本発明はこれに限られない。本発明では、上記の処理の際に、さらに所定の放送番組の番組名よりも前または後の文字列について同一文字列を取得する制御を行うように制御部を構成してもよい。
【０１２０】
また、上記第４実施形態では、次回予約番組が検出されない場合で、かつ、所定の放送番組の番組名を一部に含む番組名を有する放送番組が検出された場合に、同一文字列を取得する制御を行うように制御部３２４を構成した例を示したが、本発明はこれに限られない。本発明では、次回予約番組が検出されない場合、および、所定の放送番組の番組名を一部に含む番組名を有する放送番組が検出された場合の少なくともいずれか一方の場合に、同一文字列を取得する制御を行うように制御部を構成してもよい。
【０１２１】
また、上記第３実施形態では、所定のチャンネルに含まれる放送番組の各々から所定の放送番組の番組名以外の同一文字列を取得する制御を行うように制御部２２４を構成した例を示したが、本発明はこれに限られない。本発明では、所定の時間帯に含まれる放送番組の各々から所定の放送番組の番組名以外の同一文字列を取得する制御を行うように制御部を構成してもよい。この場合、所定の時間帯は、次回予約番組の検索対象の放送番組が放送される時間と対応する時間帯であることが好ましい。
【０１２２】
また、上記第１〜第４実施形態では、説明の便宜上、本発明の制御部２４（１２４、２２４、３２４）の処理を処理フローに沿って順番に処理を行うフロー駆動型のフローチャートを用いて説明したが、本発明はこれに限られない。本発明では、制御部２４（１２４、２２４、３２４）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１２３】
１１  受信部
２４、１２４、２２４、３２４  制御部
１００、２００、３００、４００  録画装置
【図１】
2015228608.tif 000003
【図２】
2015228608.tif 000004
【図３】
2015228608.tif 000005
【図４】
2015228608.tif 000006
【図５】
2015228608.tif 000007
【図６】
2015228608.tif 000008
【図７】
2015228608.tif 000009
【図８】
2015228608.tif 000010